(57)【要約】  【課題】本発明は、スナップリングを伝動ワークのスナップリング溝に装着させる際に、伝動ワークの軸状部材軸端部分に、位置決めのための特別の加工を必要としない、低コストで、作業効率の高いスナップリング組付用治具の提供にある。  【解決手段】軸状部材９２に刻設されたスナップリング溝１０にスナップリング７を装着するための組付用治具であって、前記組付用治具を構成するガイド治具１は、スナップリング７を前記スナップリング溝１０まで案内する外径が漸増したガイドテーパ部材３と、前記軸状部材９２若しくは軸状部材９２と嵌合する被係合部材９１に係脱可能な位置合せガイド部材４と、前記ガイドテーパ部材３と前記位置合せガイド部材４とを一体連結する連結部材５とより構成されている。  【選択図】  図１
2005211999.tif 000002
【特許請求の範囲】
【請求項１】
軸状部材に刻設されたスナップリング溝にスナップリングを装着するための組付用治具であって、前記組付用治具を構成するガイド治具は、スナップリングを前記スナップリング溝まで案内する外径が漸増したガイドテーパ部材と、前記軸状部材若しくは軸状部材と嵌合する被係合部材に係脱可能な位置合せガイド部材と、前記ガイドテーパ部材と前記位置合せガイド部材とを一体連結する連結部材とより構成されていることを特徴とするスナップリング組付用治具。
【請求項２】
前記位置合せガイド部材は、前記ガイドテーパ部材の前記軸状部材との当接部端面から軸方向に離隔した位置にあることを特徴とする請求項１記載のスナップリング組付用治具。
【請求項３】
前記位置合せガイド部材は、前記軸状部材若しくは被係合部材の外径に倣った少なくとも円弧形状を成していることを特徴とする請求項１又は請求項２記載のスナップリング組付用治具。
【請求項４】
前記スナップリング組付用治具は、前記ガイド治具と押し込み治具とで構成されており、押し込み治具は、前記ガイド治具の前記ガイドテーパ部材に嵌装可能な円筒形状でかつ、前記連結部材に沿って移動を許容する開口部を設けたことを特徴とする請求項１〜３のいずれか１項に記載のスナップリング組付用治具。
【請求項５】
前記ガイドテーパ部材と前記位置合せガイド部材を一体連結する連結部材に取手部を形成したことを特徴とする請求項１〜４のいずれか１項に記載のスナップリング組付用治具。
【請求項６】
前記ガイドテーパ部材端面と前記軸状部材端面との当接部における少なくともいずれか一方の部材端面に磁石を取り付けたことを特徴とする請求項１〜５のいずれか１項に記載のスナップリング組付用治具。
【発明の詳細な説明】
【技術分野】
【０００１】
この発明は、産業車両等のトランスミッション、ディファレンシャル等動力伝達機構における出力用或いは入力用の伝動ワーク或いは油圧シリンダ等のロッドガイドに刻設されたスナップリング溝に、スナップリングを装着するための組付用治具に関するものである。
【背景技術】
【０００２】
例えばフォークリフト等のトランスミッションにおける伝動ワークにスナップリングを装着するための組付用治具としては、図３に示すような組付用治具が提案されている。
【０００３】
この組付用治具は、棒状のガイド治具６１と、筒状の押し込み治具６３とよりなり、ガイド治具６１は、スナップリング６４を例えばトランスミッションの伝動ワーク６２を構成する軸状部材すなわち出力軸６９に刻設されたスナップリング溝６８まで案内する外径が漸増したガイドテーパ部６１ａが形成されており、ガイドテーパ部６１ａの軸側端には、出力軸６９の軸端部６９ａと嵌合する凹部６５ａと、該軸端部６９ａの軸芯に穿設されたセンターネジ穴７０に螺合可能な係合ネジ部６５ｂとを有する係合部６５が設けられている。また伝動ワーク６２の出力軸６９には、歯車、プーリ等のボス部７２が取り付けられている。
この組付用治具によりスナップリング６４をスナップリング溝６８に装着させる際は、ガイド治具６１の係合部６５を出力軸６９の軸端部６９ａに螺着、固定し、スナップリング６４をガイド治具６１のガイドテーパ部６１ａに環装し、次いで押し込み治具６３によりスナップリング６４を押圧して、スナップリング溝６８に装着させるものであった。（例えば、特許文献１を参照）。
【０００４】
【特許文献１】特開平５−３３７８４２号公報（図３）
【発明の開示】
【発明が解決しようとする課題】
【０００５】
しかしながら、上記した従来の技術では、ガイド治具６１と伝動ワーク６２との位置合せ、及び芯合せの為にスナップリングを装着させる出力軸６９とガイド治具６１の両軸端部に、凹部６５ａ，係合ネジ部６５ｂ、センターネジ穴７０等の加工が必要となり、材料費に加えて、加工費の点でも大幅なコストアップとなる。また、出力軸６９のボス部７２嵌合部分より突出する軸端部分にはテーパー部分とかネジ穴加工部分が必要となるため、その分だけ軸端部の突出量が長くなるといった問題もあった。
【０００６】
本発明は上記の問題点に鑑みてなされたもので、本発明の目的は、スナップリングを装着させる軸状部材の軸端部に、位置決めのための特別な加工例えばテーパー部とかネジ穴の加工を必要としないスナップリング組付用治具の提供にある。
【課題を解決するための手段】
【０００７】
上記課題を達成するため、請求項１記載の発明は、軸状部材に刻設されたスナップリング溝にスナップリングを装着するための組付用治具であって、前記組付用治具を構成するガイド治具は、スナップリングを前記スナップリング溝まで案内する外径が漸増したガイドテーパ部材と、前記軸状部材若しくは軸状部材と嵌合する被係合部材に係脱可能な位置合せガイド部材と、前記ガイドテーパ部材と前記位置合せガイド部材とを一体連結する連結部材とより構成されていることを特徴とする。
【０００８】
請求項２記載の発明は、請求項１記載のスナップリング組付用治具において、前記位置合せガイド部材は、前記ガイドテーパ部材の前記軸状部材との当接部端面から軸方向に離隔した位置にあることを特徴とする。
【０００９】
請求項３記載の発明は、請求項１又は請求項２記載のスナップリング組付用治具において、前記位置合せガイド部材は、前記軸状部材若しくは被係合部材の外径に倣った少なくとも円弧形状を成していることを特徴とする。
【００１０】
請求項４記載の発明は、請求項１〜３のいずれか１項記載のスナップリング組付用治具において、前記スナップリング組付用治具は、前記ガイド治具と押し込み治具とで構成されており、押し込み治具は、前記ガイド治具の前記ガイドテーパ部材に嵌装可能な円筒形状でかつ、前記連結部材に沿って移動を許容する開口部を設けたことを特徴とする。
【００１１】
請求項５記載の発明は、請求項１〜４のいずれか１項記載のスナップリング組付用治具において、前記ガイドテーパ部材と前記位置合せガイド部材を一体連結する連結部材に取手部を形成したことを特徴とする。
【００１２】
請求項６記載の発明は、請求項１〜５のいずれか１項記載のスナップリング組付用治具において、前記ガイドテーパ部材端面と前記軸状部材端面との当接部における少なくともいずれか一方の部材端面に磁石を取り付けたことを特徴とする。
【発明の効果】
【００１３】
以上詳述したように請求項１〜３記載の発明によれば、位置合せガイド部材を軸状部材若しくは軸状部材と嵌合する被係合部材に係合させ、ガイドテーパ部材端面を軸状部材端面に当接させるのみで、ガイド治具の位置決め及び芯合せを行うことができる。従って軸状部材若しくは被係合部材の軸端部に位置決め、芯合せのための特別な加工を行うことなくスナップリング嵌合組付の準備操作を簡易に行うことができるとともに、ガイド治具を軸状部材に芯合せした状態で保持することが可能となる。
また、ガイドテーパ部材の大径部端面と軸状部材端面を当接させてガイドテーパ部材によりスナップリングをスナップリング溝に装着させるとき、位置合せガイド部材は、スナップリングと干渉しない位置に離隔しており、スナップリングの移動の妨げとならず、軸状部材のスナップリング溝にスナップリングをスムースに移動装着させることができる。
【００１４】
請求項４記載の発明によれば、スナップリングをガイドテーパ部材に嵌合し、押し込み治具の開口部を連結部材と干渉しない位置にセンタリングして、連結部材に沿って移動させることにより、押し込み治具には回転方向の力が生起せず、軸心に沿ってスナップリング溝位置まで真っ直ぐに押し込むことができる。すなわちスナップリングを押し込み治具を使ってスナップリング溝まで略直線的に押し込むことが可能となった。
【００１５】
請求項５記載の発明によれば、前記ガイドテーパ部材と位置合せガイド部材を一体連結する連結部材に取手部を形成したことにより、スナップリングを取付ける時に、片方の手で取手部を持ってガイド治具を軸状部材若しくは被係合部材に位置合せし、もう一方の手でスナップリングをガイドテーパ部材に嵌合し、押し込み治具で押し込むことができることから、スナップリングの装着作業が容易に行えるとともに、ガイド治具の軸状部材若しくは被係合部材への脱着ならびにガイド治具の持ち運び作業が容易に行なえる。
【００１６】
請求項６記載の発明によれば、前記ガイドテーパ部材端面と軸状部材端面との当接部における少なくともいずれか一方の部材端面に磁石をとりつけることにより、ガイド治具及び軸状部材ともに一般的には鉄系の鋼材を使用しており、その磁気作用により両部材に吸着力が作用し、ガイド治具の芯合せ状態での維持をより確実なものとすることができる。
【発明を実施するための最良の形態】
【００１７】
（第１の実施形態）
以下、第１の実施形態に係るスナップリングの組付用治具をトランスミッションのスナップリングに適用した実施形態につき、図１、図２に基づいて説明する。
本発明は、軸状部材９２を成す回転軸に歯車、プーリ等被係合部材９１が嵌合した動力伝達機構における出力用或いは入力用の伝動ワーク９の前記軸状部材９２にスナップリング溝１０を刻設し、そのスナップリング溝１０にスナップリング７を装着するための組付用治具である。
該組付用治具は、図１、図２に示すようにガイド治具１と押し込み治具２から構成されており、ガイド治具１のガイドテーパ部材３は、その外径を漸増させた略円錐形状をしている。なおガイドテーパ部材３の大径端面３ａの最大外径は、当接する軸状部材９２の軸端部９２ａの外径と略同径であることが望ましいが、装着するスナップリング７が押し込み時に生起する径方向の塑性変形があってもスナップリング７の機能を喪失しない範囲内であれば若干大径であってもよい。
【００１８】
また、上記ガイドテーパ部材３の大径端面３ａから軸方向に離隔した位置にあって、前記伝動ワーク９の被係合部材９１若しくは軸状部材９２のスナップリング溝１０より被係合部材９１側部分と嵌合してガイド治具１の位置合せを行う位置合せガイド部材４は、図１に示すように被係合部材９１の外径と略同一径でその外径面に倣って包み込むような円弧形状をしている。本実施例では、被係合部材９１の外径に倣って約半周を包み込むような形状となっているが、勿論全周を包み込むような形状でも良く、その場合はガイド治具１の位置精度がより出やすくなる。さらに円弧状の位置合せガイド部材４の被係合部材９１外径との当接面を、被係合部材９１の歯先と噛合う歯車形状にしてもよい。
【００１９】
前記ガイド治具１は、ガイドテーパ部材３と位置合せガイド部材４とを一体連結する連結部材５を備えている。この連結部材５は、取手部としての機能も併せ持っており、そのための取手部用の開口孔５ａが連結部材５の適宜位置に形成されている。さらに、連結部材５は、スナップリング７装着時に、少なくともガイドテーパ部材３の大径端面３ａから伝動ワーク９の軸状部材９２のスナップリング溝１０を跨いで被係合部材９１側端面側に至る軸方向領域に切り込み部５ｂを有しており、この切り込み部５ｂによりスナップリング７の回転方向への移動拘束を解くとともに、連結部材５の伝動ワーク９の側端面との干渉を防止している。
また、この連結部材５のガイドテーパ部材３との結合部分すなわちガイドテーパ部材３の小径端面３ｂ側から切り込み部５ｂに至る間は、後述する押し込み治具２における開口部２ａのガイド部５ｃを成している。
【００２０】
前記ガイドテーパ部材３に嵌合したスナップリング７を軸状部材９２側へ移動させる押し込み治具２は、円筒形状を成しその周辺の一部に軸心方向の切り欠きを入れた開口部２ａを有する。この開口部２ａにより断面が略Ｃ形状をした押し込み治具２の内径は、嵌め込むガイドテーパ部材３の大径端面３ａ径よりもやや大きくしてあり、板厚はスナップリング７の側面と干渉してスナップリング７を押し込むに十分な厚みを有している。
また開口部２ａの隙間は、前記連結部材５のガイド部５ｃにおける板厚よりも広い隙間であり、この開口部２ａを前記ガイド部５ｃに沿って移動させることにより、ガイドテーパ部材３に挿入されたスナップリング７を軸心に沿って真っ直ぐに押し込むためのガイドの役割を有している。
【００２１】
前記ガイドテーパ部材３における大径端面３ａの側端面と軸状部材９２における軸端部９２ａの側端面との当接部において、少なくともいずれか一方の部材の側端面における軸心部には磁石１４が埋設されており、この磁石１４は、ガイド治具１と伝動ワーク９を磁気的に吸着させることができる。
【００２２】
上記の如く構成されたスナップリング組付治具を使用して、伝動ワーク９の軸状部材９２に刻設されたスナップリング溝１０にスナップリング７を装着するにあたっては、ガイド治具１の取手用開口孔５ａを持ってまず位置合せガイド部材４を被係合部材９１の外周部に倣って嵌合する。次にガイドテーパ部材３の大径端面３ａと軸状部材９２の軸端部９２ａとを磁石１４にて吸着させて、ガイド治具１と伝動ワーク９との位置合せ及びセンタリングを行う。しかるのちガイドテーパ部材３の小径端面３ｂ側からスナップリング７を嵌合させて、そのスナップリング７の開口部が、連結部材５のガイド部５ｃに向くように設置する。そして、押し込み治具２をガイドテーパ部材３の小径端面３ｂ側から嵌挿し、その開口部２ａを連結部材５のガイド部５ｃに嵌合させ、該押し込み治具２の回転方向の移動を拘束させた状態にてスナップリング７を軸方向に押し込んで行き、スナップリング７を軸状部材９２の軸端部９２ａを経て、スナップリング溝１０内に嵌合させる。スナップリング溝１０にスナップリング７が装着されたならば、ガイド治具１の取手用開口孔５ａにてガイド治具１を持ち上げることにより、位置合せガイド部材４と被係合部材９１及びガイドテーパ部材３と軸状部材９２との接合が解かれ、スナップリング７の装着作業が終了する。
【００２３】
この実施形態に係るスナップリング組付用治具によれば以下の効果を奏する。
（１）ガイド治具１の位置合せガイド部材４を、被係合部材９１の外周部に嵌合させるだけで、ガイド治具１と伝動ワーク９との位置合せ、芯合せならびに両部材の固定が迅速かつ簡易にできる。
（２）押し込み治具２の開口部２ａを連結部材５のガイド部５ｃに係合し、ガイドテーパ部材３に沿って嵌合移動させることにより、スナップリング７を軸心に沿って真っ直ぐに押圧することができ、スナップリングに余分の応力をかけることなくスムースに装着移動させることができる。
（３）連結部材５は、ガイドテーパ部材３と位置合せガイド部材４とを一体連結する連結部材としての機能に加えて、取手部としての機能も併せ持っており、スナップリング７の組付け時にガイド治具１の保持用として使用が可能であり、また持ち運びに便利である。
【産業上の利用可能性】
【００２４】
なお、本発明は、上記した実施形態に限定されるものではなく発明の趣旨の範囲内で種々の変更が可能であり、例えば、次のように変更してもよい。
○  第１の実施形態では、ガイド治具１を構成するガイドテーパ部材３を棒状の中実材として図示したが、中空材でもよく、この場合にはガイド治具１の重量軽減化を図ることができる効果がある。
○  第１の実施形態では、押し込み用治具２を断面略Ｃ形の円筒形状のものとして説明したが、角パイプ或いは厚みを持った板部材に穴とガイド用の開口部を開けたものでもよい。
○  第１の実施形態では、連結部材５と位置合せガイド部材４とは一体連結と説明したが、両部材５、４を嵌め合い連結にしてもよい。この場合には、位置合せガイド部材４が磨耗したり、折損したり、歯車径が変わったり、伝動ワーク９がプーリ部材であっても、位置合せガイド部材４の交換のみでガイド治具１として再生できる。
○  第１の実施形態では、歯車等が嵌合した伝動ワークの軸状部材にスナップリングを装着するための組付用治具として説明したが、油圧シリンダ等のシリンダチューブ先端部に設けられるロッドガイドへのスナップリング装着のための組付用治具としての適用も可能である。
【図面の簡単な説明】
【００２５】
【図１】第１の実施形態に係るスナップリング組付用治具の概要を示す斜視図である。
【図２】第１の実施形態に係るスナップリング組付用治具の一部破断側面図である。
【図３】従来のスナップリング組付用治具の構成を示す概要図である。
【符号の説明】
【００２６】
１    ガイド治具
２    押し込み治具
２ａ  開口部
３    ガイドテーパ部材
４    位置合せガイド部材
５    連結部材
５ａ  開口孔
５ｂ  切り込み部
５ｃ  ガイド部
７    スナップリング
９    伝動ワーク
９１  被係合部材
９２  軸状部材
１０  スナップリング溝
１４  磁石
【図１】
2005211999.tif 000003
【図２】
2005211999.tif 000004
【図３】
2005211999.tif 000005